(57)【要約】【課題】原稿が読取センサーの読取範囲外に搬送される場合でも、読み取る画像が途切れることを防止する。【解決手段】画像形成装置３００は、搬送される原稿１の両面を読み取る第１固定読取部２０、第２固定読取部２５を備える。第２固定読取部２５は、一端をガイドピン６１、６２とピン挿入穴７１、７２で支持され、他端に調整機構６０を備える。調整機構６０は、引張スプリング７４と、調整ねじ７５とを備え、調整ねじ７５を回転させることで第２固定読取部２５の位置を原稿１の搬送方向と直交する主走査方向に調整する。【選択図】図８
2014123799.tif 000002
【特許請求の範囲】
【請求項１】
搬送される原稿の画像を読み取る読取手段を備えた原稿読取装置において、
前記読取手段の位置を調整する調整手段を備え、
前記調整手段は前記原稿の搬送方向と直交する方向の位置を調整することを特徴とする原稿読取装置。
【請求項２】
前記読取手段は、前記原稿の第１面を読み取る第１読取手段と、前記原稿の第２面を読み取る第２読取手段とを含み、前記第１読取手段または第２読み取り手段に前記調整手段を備えることを特徴とする請求項１に記載の原稿読取装置。
【請求項３】
前記調整手段は、前記読取手段を引っ張る引張スプリングと、前記読取手段に接触して前記読取手段を移動させる調整ねじと備えることを特徴とする請求項１または請求項２に記載の原稿読取装置。
【請求項４】
前記調整手段は、前記読取手段の位置を示す目盛り線を前記原稿の搬送方向と直交する方向に複数設けた目盛り部を備えることを特徴とする請求項１から請求項３のいずれか一項に記載の原稿読取装置。
【請求項５】
前記調整手段は、前記読取手段の一方に配置され装置本体に挿入できるガイドピンと、前記読取手段の他方に配置された前記調整手段を備え、前記ガイドピンの長さが前記調整手段の調整可能距離よりも大であることを特徴とする請求項１から請求項４のいずれか一項に記載の原稿読取装置。
【請求項６】
前記読取手段に前記原稿を搬送する原稿搬送装置を備えることを特徴とする請求項１から請求項５のいずれか一項に記載の原稿読取装置。
【請求項７】
請求項６に記載の原稿読取装置と、前記原稿読取装置で読み取った画像に基づいて記録媒体に画像を形成する画像形成手段とを備えることを特徴とする画像形成装置。
【発明の詳細な説明】
【技術分野】
【０００１】
本発明は、搬送される原稿の画像を読み取る読取手段を備えた原稿読取装置、およびこの原稿読取装置を備える画像形成装置に関する。
【背景技術】
【０００２】
一度の原稿搬送で表面と裏面を同時に読み取る、いわゆる１パス両面読取方式の原稿読取装置では、読取センサーに対する搬送原稿の搬送位置が機器によって異なることがある。このように読取センサーの配置位置が異なると、読み取った画像には位置ずれが発生する。これに対処するため、読み取った画像データに位置ずれ分を補正することで、位置ずれを抑える技術が知られている。
【０００３】
また、原稿の裏面の画像を読み取るＣＩＳ（Contact Image
Sensor）で構成された裏面読取センサーの読取ライン角度に対して搬送原稿の搬送角度がずれていると、読み取った画像に傾きが生じてしまう。このため、機械的に読取センサーを回動させ、搬送原稿に対する読取ラインの角度を調整し、画像の傾きを抑える技術が知られている。
【０００４】
特許文献１には、ＣＩＳによって読み取った画像の傾きを低減するため、斜行した原稿に対して、読取手段の読取ラインの配置方向を、読取手段の原稿搬送方向と直行する方向の一端部を支点として、他端部側を揺動させて調整する技術が開示されている。
【発明の概要】
【発明が解決しようとする課題】
【０００５】
しかし、従来の技術では、読取センサーの主走査方向における読取範囲内に原稿が搬送されることが前提条件であり、読取範囲外に原稿が搬送された場合には、画像が途切れてしまう。今後、対応原稿サイズが大きくなり、１２インチ幅等のように幅広になったとき、従来使用されている読取センサーは、その読み取り幅に余裕がないため、調整が難しいという問題がある。
【０００６】
また、特許文献１に記載のものは、原稿が読取範囲外に搬送されるような場合に画像が途切れてしまうという問題は解決できない。
【０００７】
本発明は上述の点にかんがみてなされたものであり、原稿が読取センサーの読取範囲外に搬送される場合でも、読み取る画像が途切れることを防止することができる原稿読取装置、および画像形成装置を提供することを課題とする。
【課題を解決するための手段】
【０００８】
前記課題を解決するため、本発明に係る原稿読取装置は、搬送される原稿の画像を読み取る読取手段を備えた原稿読取装置において、前記読取手段の位置を調整する調整手段を備え、前記調整手段は前記原稿の搬送方向と直交する方向の位置を調整することを特徴とする。
【発明の効果】
【０００９】
本発明によれば、原稿が読取センサーの読取範囲外に搬送される場合でも、読取センサーの位置を主走査方向に動かすことができ、原稿の読み取り画像が途切れるのを防止することができる。
【図面の簡単な説明】
【００１０】
【図１】本発明に係る画像形成装置の実施形態１に係る画像形成装置の概略構成図である。
【図２】同画像形成装置に使用される原稿読取装置をスキャナー部の上部とともに示す断面図である。
【図３】同原稿読取装置の制御系を示すブロック図である。
【図４】同原稿読取装置の画像読取処理系を示すブロック図である。
【図５】同原稿読取装置の内部構造を示す斜視図である。
【図６】同原稿読取装置の内部構造を示す拡大斜視図である。
【図７】同原稿読取装置の内部構造を示す拡大斜視図である。
【図８】同画像読取装置の読取センサーの移動状態を示す平面図である。
【図９】同画像読取装置の読取センサーの移動状体を示す正面図である。
【発明を実施するための形態】
【００１１】
本発明を実施するための形態に係る原稿読取装置、および画像形成装置について説明する。本発明の実施形態に係る原稿読取装置は、原稿が読取センサーの読取範囲外に搬送される状態であった場合、搬送原稿に対する読取センサーを主走査方向に位置調整できるようにして、読取センサーで読み取る原稿画像の途切を防ぐことを特徴としている。
【００１２】
＜実施形態１＞
実施形態１に係る画像形成装置について説明する。図１は本発明に係る画像形成装置の実施形態１に係る画像形成装置の概略構成図である。実施形態１に係る画像形成装置３００は、被読取原稿を搬送し所定の速度で搬送しながら画像読取を行う原稿読取装置を備える。
【００１３】
まず、実施形態１に係る画像形成装置３００の基本的な構成について説明する。以下実施形態１に係る画像形成装置３００は自動的に原稿を搬送して原稿を読み取る原稿読取装置を備えた複写機であるとして説明する。画像形成装置３００は、画像形成手段としての画像形成部３１０と、転写紙給紙装置３４０と、原稿読取ユニット３５０とを備えている。原稿読取装置としての原稿読取ユニット３５０は、画像形成部３１０の上に固定されたスキャナー部３７０と、このスキャナー部３７０の上に配置された原稿搬送装置である原稿自動搬送装置３６０とを備えて構成されている。
【００１４】
転写紙給紙装置３４０は、給紙部３４１に多段に配置された２つの転写紙給紙カセット３４２、３４２から記録媒体である転写紙を送り出す転写紙送出ローラ３４３、送り出された転写紙を分離して転写紙給紙路３４４に供給する転写紙分離ローラ３４５を備える。また、転写紙給紙装置３４０は、転写紙給紙カセット３４２内の転写紙を画像形成部３１０内の本体側転写紙給紙路３３７内に給紙する。
【００１５】
画像形成部３１０は、光書込装置３０２、４つのプロセスユニット３０３Ｋ、３０３Ｙ、３０３Ｍ、３０３Ｃ、転写ユニット３２４、紙搬送ユニット３２８、レジストローラ対３３３、定着装置３３４等を備える。また、画像形成部３１０は、スイッチバック装置３３６、本体側転写紙給紙路３３７を備える。プロセスユニット３０３Ｋ、３０３Ｙ、３０３Ｍ、３０３Ｃは、それぞれ感光体３０４Ｋ、３０４Ｙ、３０４Ｍ、３０４Ｃを備える。プロセスユニット３０３Ｋ、３０３Ｙ、３０３Ｍ、３０３Ｃは、それぞれ黒（Ｋ）、イエロー（Ｙ）、Ｍ（マゼンタ）、Ｃ（シアン）の各色のトナー像を作成する。
【００１６】
光書込装置３０２は、内部に配置された図示しないレーザーダイオードやＬＥＤ(Ｌｉｇｈｔ  Ｅｍｉｔｔｉｎｇ  Ｄｉｏｄｅ）等の光源を駆動して、４つの感光体３０４Ｋ、３０４Ｙ、３０４Ｍ、３０４Ｃに向けてレーザー光を照射する。光書込装置３０２は、原稿読取ユニット３５０で読み取った原稿の画像データに基づいて各感光体３０４Ｋ、３０４Ｙ、３０４Ｍ、３０４Ｃに照射するレーザー光を制御する。この照射により、感光体３０４Ｋ、３０４Ｙ、３０４Ｍ、３０４Ｃの表面には静電潜像が形成され、この潜像は所定の現像プロセスを経由してトナー像に現像され、原稿の両面に記載された画像が転写紙に複写される。
【００１７】
プロセスユニット３０３Ｋ、３０３Ｙ、３０３Ｍ、３０３Ｃは、それぞれ、感光体３０４Ｋ、３０４Ｙ、３０４Ｍ、３０４Ｃとその周囲に配置される各種装置とを１つのユニットとして共通の支持体に支持するものして構成される。これらは、画像形成装置本体の画像形成部３１０に対してそれぞれ着脱可能になっている。プロセスユニット３０３Ｋ、３０３Ｙ、３０３Ｍ、３０３Ｃは、感光体３０４Ｋ、３０４Ｙ、３０４Ｍ、３０４Ｃの周囲に、帯電装置、現像装置、ドラムクリーニング装置、除電ランプ等を配置して構成される。画像形成装置３００では、４つのプロセスユニット３０３Ｋ、３０３Ｙ、３０３Ｍ、３０３Ｃを、中間転写ベルト３２５に対してその無端移動方向に沿って並べるように対向配置した、いわゆるタンデム型の構成になっている。
【００１８】
プロセスユニット３０３Ｋ、３０３Ｙ、３０３Ｍ、３０３Ｃの下方には、転写ユニット３２４が配置されている。転写ユニット３２４は、複数のローラによって張り渡した中間転写ベルト３２５を、感光体３０４Ｋ、３０４Ｙ、３０４Ｍ、３０４Ｃに接触させながら図中時計回り方向に無端移動させる。これにより、感光体３０４Ｋ、３０４Ｙ、３０４Ｍ、３０４Ｃと、中間転写ベルト３２５とが接触するＫ、Ｙ、Ｍ、Ｃ用の一次転写ニップが形成される。Ｋ、Ｙ、Ｍ、Ｃ用の一次転写ニップの近傍では、ベルトループ内側に配置された一次転写ローラによって中間転写ベルト３２５を感光体３０４Ｋ、３０４Ｙ、３０４Ｍ、３０４Ｃに向けて押し付けている。
【００１９】
これら一次転写ローラには、それぞれ図示しない電源によって一次転写バイアスが印加されている。これにより、Ｋ、Ｙ、Ｍ、Ｃ用の一次転写ニップには、感光体３０４Ｋ、３０４Ｙ、３０４Ｍ、３０４Ｃ上のトナー像を中間転写ベルト３２５に向けて静電移動させる一次転写電界が形成されている。図中時計回り方向の無端移動に伴ってＫ、Ｙ、Ｍ、Ｃ用の一次転写ニップを順次通過していく中間転写ベルト３２５のおもて面には、各一次転写ニップでトナー像が順次重ね合わせて一次転写される。この重ね合わせの一次転写により、中間転写ベルト３２５のおもて面には４色重ね合わせトナー像（以下、４色トナー像という）が形成される。
【００２０】
転写ユニット３２４の図中下方には、紙搬送ベルト３２９を備える紙搬送ユニット３２８が設けられている。これにより、中間転写ベルト３２５のおもて面と、紙搬送ベルト３２９のおもて面とが接触する二次転写ニップが形成されている。
【００２１】
この二次転写ニップの図中右側方には、レジストローラ対３３３が配置されている。また、レジストローラ対３３３のレジストニップの入口付近には、図示しないレジストローラセンサーが配置されている。転写紙給紙装置３４０からレジストローラ対３３３に向けて搬送されてくる転写紙は、その先端が図示しないレジストローラセンサーに検知された所定時間後に転写紙の搬送が一時停止し、レジストローラ対３３３のレジストニップに先端を突き当てる。この結果、転写紙の姿勢が修正され、画像形成との同期をとる準備が整う。
【００２２】
転写紙の先願がレジストニップに突き当たると、レジストローラ対３３３は、転写紙を中間転写ベルト３２５上の４色トナー像に同期させ得るタイミングでローラ回転駆動を再開して、転写紙を二次転写ニップに送り出す。二次転写ニップ内では、中間転写ベルト３２５上の４色トナー像が二次転写電界やニップ圧の影響によって転写紙に一括二次転写され、転写紙の白色と相まってフルカラー画像となる。二次転写ニップを通過した転写紙は、中間転写ベルト３２５から離間して、紙搬送ベルト３２９のおもて面に保持されながら、その無端移動に伴って定着装置３３４へと搬送される。
【００２３】
定着装置３３４に搬送された転写紙は、定着装置３３４内における加圧や加熱によってフルカラー画像が定着された後、定着装置３３４から排紙ローラ対３３５に送られた後、機外の排紙トレイ３０１へと排出される。
【００２４】
図１において、紙搬送ユニット３２８および定着装置３３４の下には、転写紙反転装置であるスイッチバック装置３３６が配置されている。これにより、原稿読取ユニット３５０で読み取られた原稿の両面の画像が転写紙の両面に印刷することができる。両面印刷を行う場合には、片面に対する画像定着処理を終えた転写紙の搬送路が、切換爪によってスイッチバック装置３３６側に切り替えられ、そこで転写紙は反転されて再び二次転写ニップに進入する。そして、転写紙のもう片面にも画像の二次転写処理と定着処理とが施された後、排紙トレイ３０１上に排紙される。
【００２５】
画像形成部３１０の上のスキャナー部３７０や、スキャナー部３７０上の原稿自動搬送装置３６０からなる原稿読取ユニット３５０は、後述する固定読取部である第１固定読取部２０および第２固定読取部２５と、固定読取部や移動読取部３７２とを有している。移動読取部３７２は、原稿１に接触するように原稿読取ユニット３５０のケーシング上壁に固定された第２コンタクトガラス３７１の直下に配置されており、光源や、反射ミラーなどからなる光学系を図中左右方向に移動させることができる。そして、光学系を図中左側から右側に移動させていく過程で、光源から発した光を第２コンタクトガラス３７１上に配置された原稿１の下面で反射させた後、複数の反射ミラーを経由させて、原稿読取ユニット３５０に固定された画像読取センサー３７３で受光する。
【００２６】
一方、原稿読取ユニット３５０は固定読取部として、スキャナー部３７０の内部に配置された第１固定読取部２０と、原稿自動搬送装置３６０内に配置された後述する第２固定読取部２５とを有している。光源、ＣＩＳ等の画像読取センサーなどを有する第１固定読取部２０は、原稿１に接触するようにスキャナー部３７０のケーシング上壁に固定された第１コンタクトガラス３７４の直下に配置されている。そして、原稿自動搬送装置３６０によって搬送される原稿１が第１コンタクトガラス３７４上を通過する際に、光源から発した光を原稿１の第１面での反射により画像を読み取る。また、第２固定読取部２５は、第１固定読取部２０を通過した後の原稿１の第２面を読み取る。
【００２７】
次に原稿読取ユニット３５０について説明する。原稿読取ユニット３５０は、上述のように原稿自動搬送装置３６０とスキャナー部３７０とを備えて構成されている。スキャナー部３７０には、移動読取部３７２と、第１固定読取部２０とが、原稿自動搬送装置３６０には、第２固定読取部２５が配置されている。図２は同画像形成装置に使用される原稿読取装置をスキャナー部３７０の上部とともに示す断面図である。
【００２８】
原稿自動搬送装置３６０は、原稿セット部Ａ、分離給送部Ｂ、レジスト部Ｃ、ターン部Ｄ、第１読取搬送部Ｅ、第２読取搬送部Ｆ、排紙部Ｇ、スタック部Ｈを備える。原稿セット部Ａは、原稿１の束が配置される。分離給送部Ｂは設置された原稿１の束から一枚ずつ原稿１を分離して給送する。レジスト部Ｃは、給送された原稿を一次突き当てて整合するとともに、整合後の原稿を引き出し、ターン部Ｄに搬送する。
【００２９】
ターン部Ｄは搬送される原稿を反転させて、原稿セット部Ａで上側に向けられた原稿１の表面である第１面を第１固定読取部２０での読み取り側（下方）に向けつつ搬送する。第１読取搬送部Ｅは、原稿１の第１面を、第１コンタクトガラス３７４の下方から読取を行わせる。第２読取搬送部Ｆは、読取後の原稿の裏面である第２面の画像を読み取る第２固定読取部２５を備える。排紙部Ｇは、表裏の読取が完了した原稿を機外に排出する。スタック部Ｈは、読取完了後の原稿を積載保持する。
【００３０】
図３は同原稿読取装置の制御系を示すブロック図である。原稿自動搬送装置３６０は、ピックアップモータ１０１、給紙モータ１０２、読取モータ１０３、排紙モータ１０４、底板上昇モータ１０５、Ｉ／Ｆ回路１０７、本体操作部１０８プルアウトモータ１１３、読取入口モータ１１４を備える。また原稿自動搬送装置３６０は、一連の動作を制御するコントローラ１００等を備えている。
【００３１】
原稿セット部Ａは、読取を行うべき原稿１の束を設置する可動原稿テーブル３を含む原稿テーブル２を備える。原稿テーブル２上には、原稿１の第１面を上向きにセットする。さらに原稿１の巾方向を図示しない規正部材で搬送方向と直行する方向で位置決めを行う。原稿１の束が設置されたことは、セットフィラー４、セットセンサー５で検知され、Ｉ／Ｆ回路２０７で本体制御部１１１に送信される。さらに原稿テーブル２に設けられた原稿長さ検知センサー３０または検知センサー３１により原稿の搬送方向長さの概略が判定される。これらの検知センサー３０、３１は、少なくとも同一原稿サイズの縦か横かを判断可能なように配置される。また、この検知センサー３０、３１としては、反射型センサーまたは、原稿１枚でも検知可能なアクチェーター・タイプのセンサーが用いられる。
【００３２】
可動原稿テーブル３は、底板上昇モータ１０５により図２中のａ、ｂ方向に上下動可能とさり、給紙準備動作を行う際には、底板上昇モータ１０５を正転させて原稿１の束の最上面がピックアップローラー７と接触するように可動原稿テーブル３を上昇させる。
【００３３】
適正位置センサー８は、可動原稿テーブル３が上昇し過ぎたことを検出して原稿１の束の上面が適正な給紙高さに保たれていることを検出する。適正位置センサー８がＯＮになったら底板上昇を停止し、給紙を繰り返すことで原稿上面位置が下がる。一方、適正位置センサー８がＯＦＦとなったら、底板を上昇させて適正位置センサー８が再びＯＮするように制御を繰り返すことにより、常に原稿１の束上面位置を給紙に適した高さに維持する。
【００３４】
セットされた原稿が全て給紙されるなどの際には、シート積載準備動作として底板上昇モータ１０５を正転させて次の原稿１の束をセットできるようにホームポジション位置へと可動原稿テーブル３を下降させる。
【００３５】
ピックアップローラー７は、ピックアップモータ１０１によりカム機構で図２中のｃ、ｄ方向に動作するとともに、可動原稿テーブル３が上昇し可動原稿テーブル３上の原稿上面により押されてｃ方向に上がり、適正位置センサー８により上限を検知可能となっている。本体操作部１０８で両面モードか片面モードかを指定した後、プリントキーが押下され、本体制御部１１１からＩ／Ｆ回路１０７を介してコントローラ１００に原稿給紙信号が送信される。すると、ピックアップローラー７は給紙モータ１０２の正転によりコロが回転駆動し、原稿テーブル２上の数枚（理想的には１枚）の原稿をピックアップする。回転方向は、最上位の原稿を給紙口に搬送する方向である。
【００３６】
ここで両面モードか片面モードかを設定する際、原稿テーブル２上にセットされた全ての原稿に対して同じように設定することができる（１枚目、２枚目、・・・ｎ枚目）。また、それぞれの原稿に対して異なる設定をしても良い（全１０枚の原稿中、１枚目と１０枚目は両面モード、その他は片面モード等）。
【００３７】
給紙ベルト９は給紙モータ１０２の正転により給紙方向に駆動され、リバースローラー１０は給紙モータ１０２の正転により給紙と逆方向に回転駆動され、最上位の原稿とその下の原稿を分離して、最上位の原稿のみを給紙できる構成となっている。さらに詳しく説明すると、リバースローラー１０は給紙ベルト９と所定圧で接し、給紙ベルト９との直接接している時、または原稿１枚を介して接している状態では給紙ベルト９の回転につられて反時計方向につれ回りする。そして、万が一原稿が２枚以上、給紙ベルト９とリバースローラー１０の間に侵入した時は、連れ回り力がトルクリミッターのトルクよりも低くなるように設定されている。すると、リバースローラー１０は本来の駆動方向である時計方向に回転し、余分な原稿を押し戻す働きをし、重送が防止される。
【００３８】
給紙ベルト９とリバースローラー１０との作用により１枚に分離された原稿１は給紙ベルト９によってさらに送られ、突き当てセンサー１１によって先端が検知されさらに進んで停止しているプルアウトローラー１２に突き当たる。その後前出の突き当てセンサー１１の検知から所定量定められた距離だけ送られ、結果的には、プルアウトローラー１２に所定量たわみを持って押し当てられた状態で給紙モータ１０２を停止させることにより、給紙ベルト９の駆動が停止する。この時、ピックアップモータ１０１を回転させることでピックアップローラー７を原稿上面から退避させ、原稿を給紙ベルト９の搬送力のみで送る。これにより、原稿先端は、プルアウトローラー１２の上下ローラ対のニップに進入し、先端の整合（スキュー補正）が行われる。
【００３９】
プルアウトローラー１２は、前記スキュー補正機能を有するとともに、分離後にスキュー補正された原稿を中間ローラ１４まで搬送するためのローラで、給紙モータ１０２の逆転により駆動される。またこの時（給紙モータ１０２逆転時）、プルアウトローラー１２と中間ローラ１４は駆動されるが、ピックアップローラー７と給紙ベルト９は駆動されていない。
【００４０】
原稿幅センサー１３は奥行き方向に複数個が並べられ、プルアウトローラー１２により搬送された原稿の搬送方向に直行する幅方向のサイズを検知する。また、原稿の搬送方向の長さは原稿の先端後端を突き当てセンサー１１で読み取ることによりモータパルスから原稿の長さを検知する。
【００４１】
プルアウトローラー１２および中間ローラ１４の駆動によりレジスト部Ｃからターン部Ｄに原稿が搬送される際には、レジスト部Ｃでの搬送速度を第１読取搬送部Ｅでの搬送速度よりも高速に設定して原稿を読取部へ送り込む処理時間の短縮が図られている。
【００４２】
原稿の先端が読取入口センサー１５で検出されると、読取入口ローラ１６の上下ローラ対のニップに原稿先端が進入する前に、原稿搬送速度を読取搬送速度と同じ速さにする。このために減速を開始すると同時に、読取モータ１０３を正転駆動して読取入口ローラ１６、読取出口ローラ２３、ＣＩＳ出口ローラ２７を駆動する。原稿の先端をレジストセンサー１７にて検知すると、所定の搬送距離をかけて減速し、第１固定読取部２０の手前で一時停止するとともに、本体制御部１１１にＩ／Ｆ回路１０７を介して停止信号を送信する。
【００４３】
続いて本体制御部１１１より読取開始信号を受信すると、停止していた原稿は、読取位置に原稿先端が到達するまでに所定の搬送速度に立ち上がるように増速されて搬送される。読取モータ１０３のパルスカウントにより検出された原稿先端が読取部に到達するタイミングで、本体制御部１１１に対して第１面の副走査方向有効画像領域を示すゲート信号が、第１読取部を原稿後端が抜けるまで送信される。
【００４４】
片面原稿読取の場合には、第１読取搬送部Ｅを通過した原稿は第２読取部を経て排紙部Ｇへ搬送される。この際、排紙センサー２４により原稿の先端を検知すると、排紙モータ１０４を正転駆動して排紙ローラ２８を反時計方向に回転させる。また、排紙センサー２４による原稿の先端検知からの排紙モータパルスカウントにより、原稿後端が排紙ローラ２８の上下ローラ対のニップから抜ける直前に排紙モータ駆動速度を減速させて、原稿排紙トレイ２９上に排出される原稿が飛び出さないように制御される。
【００４５】
両面原稿を読み取る場合には、排紙センサー２４で原稿先端を検知してから読取モータ１０３のパルスカウントにより第２固定読取部２５に原稿先端が到達するタイミングで、第２固定読取部２５に対してコントローラ１００からゲート信号が送信される。このゲート信号は、副走査方向の有効画像領域を示すものであり、読取部を原稿後端が抜けるまで送信される。第２読取ローラ２６は第２固定読取部２５における原稿の浮きを抑えると同時に、第２読取部におけるシェーディングデータを取得するための基準白部を兼ねるものである。
【００４６】
図３は第２固定読取部２５の電気回路の要部を示すブロック図である。同図に示すように、第２固定読取部２５は、ＬＥＤアレイ、蛍光灯、あるいは冷陰極管などからなる光源部２００を有している。また、主走査方向（原稿幅方向に対応する方向）に並ぶ複数のセンサーチップ２０１、それぞれのセンサーチップ２０１に個別に接続された複数のＯＰアンプ回路２０２、それぞれのＯＰアンプ回路２０２に個別に接続された複数のＡ／Ｄコンバーター２０３も有している。さらには、画像処理部２０４、フレームメモリ２０５、出力制御回路２０６、Ｉ／Ｆ回路２０７なども有している。
【００４７】
センサーチップ２０１は、等倍密着イメージセンサーと称される光電変換素子と集光レンズとを具備するものである。第２固定読取部２５による読取位置に図示しない原稿が進入するのに先立って、コントローラ１００から光源部２００に点灯ＯＮ信号が送られる。これにより、光源部２００が点灯し、その光を図示しない原稿の第２面に向けて照射する。原稿の第２面で反射した反射光は、複数のセンサーチップ２０１において、集光レンズによって光電変換素子に集光されて画像情報として読み取られる。それぞれのセンサーチップ２０１で読み取られた画像情報は、ＯＰアンプ回路２０２によって増幅された後、Ａ／Ｄコンバーター２０３によってデジタル画像情報に変換される。
【００４８】
これらデジタル画像情報は、画像処理部２０４に入力されてシェーディング補正などが施された後、フレームメモリ２０５に一時記憶される。その後、出力制御回路２０６によって本体制御部１１１に受け入れ可能なデータ形式に変換された後、Ｉ／Ｆ回路２０７を経由して本体制御部１１１に出力される。なお、コントローラ１００からは原稿の先端が第２固定読取部２５による読取位置に到達するタイミング（そのタイミング以降の画像データが有効データとして扱われる）を知らせるためのタイミング信号や光源の点灯信号、電源等が出力されるようになっている。なお、第１固定読取部２０も同様の構成を備える。
【００４９】
次に実施形態１に係る画像形成装置の第２固定読取部２５の取り付けについて説明する。図５は同原稿読取装置の内部構造を示す斜視図、図６は同原稿読取装置の内部構造を示す拡大斜視図、図７は同原稿読取装置の内部構造を示す拡大斜視図である。
【００５０】
図５に示すように、画像形成装置３００の原稿自動搬送装置３６０内には、フレーム５０が配置されている。このフレーム５０は、前側板５１と後側板５２とを備えて構成される。第１固定読取部２０は、前側板５１と後側板５２とに掛け渡されて配置されている。第２固定読取部２５は、前側板５１と後側板５２の間で読み取る原稿１の搬送方向と直交する第２固定読取部２５の主走査方向（図５中矢印Ｋ）に所定距離だけ移動可能である。
【００５１】
図６に示すように、第２固定読取部２５は、第２固定読取部２５の一方側である後側板５２側に２本のガイドピン６１、６２を備え、また、後側板５２は、このガイドピン６１、６２を挿入できる２つのピン挿入穴７１、７２を備える。ガイドピン６１、６２をピン挿入穴７１、７２に差し込んで第２固定読取部２５を後側板５２に保持している。ピン挿入穴７１、７２は、ガイドピン６１、６２が挿入された状態で原稿１の幅方向に移動できる深さ寸法を備える。これにより、第２固定読取部２５は、主走査方向に位置変更可能かつ原稿１の搬送方向にはその位置が固定される状態となる。
【００５２】
ここで、ガイドピン６１、６２は、第２固定読取部２５が最も手前側に移動したときにも、前側板５１と後側板５２の間から落下しないように、第２固定読取部２５の移動距離よりも大きい長さ寸法を備える。
【００５３】
また、第２固定読取部２５は、第２固定読取部２５の他方側である前側板５１側において、第２固定読取部２５の主走査方向の位置を調整する調整手段である調整機構６０を備える。
【００５４】
図７に示すように、第２固定読取部２５には、後側板５２側の端部に向けて延長配置されたホルダー部６３が形成され、後側板５２には、開口５４とこの開口５４の下端部から外側に向けて延長さ、ホルダー部６３が上面に設置できる配置板部７３とを備える。
【００５５】
また、配置板部７３には、ホルダー部６３を配置板部７３に固定する取付ねじ７６、およびホルダー部６３を配置板部７３に主走査方向に移動可能に保持する段付ねじ７７がねじ込まれる雌ねじ部（図示していない）が形成されている。また、ホルダー部６３には、取付ねじ７６、段付ねじ７７が挿入できる２つの長穴６５、６６が形成されている。長穴６５、６６は、その長手方向寸法で第２固定読取部２５における主走査方向の移動可能寸法を定める。
【００５６】
また、配置板部７３の外側端部には、上方に向けて突出形成された突起部７８が形成されており、この突起部７８と第２固定読取部２５との間には引張スプリング７４配置され、第２固定読取部２５を常時外側に引き寄せている。また、後側板５２には、第２固定読取部２５の後側板５２側端部に接触して後側板５２の位置を調整する調整ねじ７５をねじ込むねじ穴５５（図９参照）が形成されている。ねじ穴５５にねじ込まれた調整ねじ７５の先端が第２固定読取部２５に接触して、調整ねじ７５の後側板５２へのねじ込み量で後側板５２に対する第２固定読取部２５の位置を調整する。ここで、取付ねじ７６および引張スプリング７４は第２固定読取部２５の主走査方向の位置を調整する調整手段を構成する。
【００５７】
なお、ホルダー部６３の上面には第２固定読取部２５の等間隔に複数設けた目盛り線を備える目盛り部６４が、配置板部７３の上面には三角形状の目印７９が表示されている。この目印７９が目盛り部６４のどの目盛り線位置に配置されるかにより第２固定読取部２５の移動量を細かく認識できる。以上の構造を備えるため、第２固定読取部２５は、長穴６５、６６の長さの範囲だけ第２固定読取部２５を主走査方向に移動させることができる。
【００５８】
次に、第２固定読取部２５の主走査方向の位置の調整について説明する。第２固定読取部２５の位置を調整するには、まずホルダー部６３を配置板部７３に固定している取付ねじ７６を緩め、第２固定読取部２５を移動可能な状態にする。このとき、長穴６５に配置されているのは段付ねじ７７であるため、調整ねじ７５を緩めなくとも第２固定読取部２５を自由に移動させることができる。
【００５９】
次に、調整ねじ７５の前側板５１に対するねじ込み量を調整する。これにより、第２固定読取部２５を所望の位置に配置する。その後、取付ねじ７６を締め付けて第２固定読取部２５の位置を固定する。このとき、第２固定読取部２５の後側板５２側では、ピン挿入穴７１、７２に配置されたガイドピン６１、６２が移動するが、ガイドピン６１、６２は調整機構６０の調整可能距離より十分な長い寸法を備えるため、ピン挿入穴７１、７２から抜け落ちることはない。また、第２固定読取部２５は、引張スプリング７４で外側に引き寄せられているため、第２固定読取部２５は調整ねじ７５の移動に追従して移動する。
【００６０】
ここで、例えば図８（ａ）に示すように、原稿自動搬送装置３６０で、原稿１が第２固定読取部２５の読取範囲よりも奥側に搬送される場合には以下の調整を行う。すなわち、調整ねじ７５を締め込み、例えば図９（ｃ）に示した状態から同図（ｂ）、（ａ）に示すように、第２固定読取部２５を奥側に移動させる。このとき、調整ねじ７５の先端が第２固定読取部２５を押し、第２固定読取部２５を奥側に移動させる。これにより、図８（ｂ）に示すように、第２固定読取部２５の読み取り範囲に原稿１が搬送されるようにできる。
【００６１】
また、図８（ｃ）のように、原稿自動搬送装置３６０で原稿１が第２固定読取部２５の読取範囲よりも手前側に搬送される場合、以下の調整を行う。すなわち、調整ねじ７５をゆるめ、例えば図９（ａ）に示した状態から同図（ｂ）、（ｃ）に示した状態のように、第２固定読取部２５を手前側に移動させる。このとき、調整ねじ７５の先端が第２固定読取部２５から離間するにつれ、引張スプリング７４が第２固定読取部２５を引き寄せ、第２固定読取部２５を調整ねじ７５の先端に押し付ける。このため、第２固定読取部２５が手前側に移動する。これにより、図８（ｂ）に示すように、第２固定読取部２５の読み取り範囲に原稿１が搬送されるようにできる。
【００６２】
なお、第２固定読取部２５を移動させる量は、第２固定読取部２５の目盛り部６４と、目印７９とにより表示され、微小な量の調整を簡単に行うことができる。また、第２固定読取部２５は、２本のガイドピン６１、６２と、ピン挿入穴７１、７２とにより保持されているので、原稿１の搬送方向に対して傾くことはない。そして、以上のような調整を行い第２固定読取部２５の位置を決定したら、取付ねじ７６を再び締め付けてホルダー部６３を配置板部７３に固定して調整は終了する。
【００６３】
以上のように、実施形態１に係る画像形成装置３００よれば、原稿１が第２固定読取部２５の読取範囲外に搬送される場合でも、第２固定読取部２５の位置を主走査方向に動かすことができ、原稿１の読み取り画像が途切れるのを防止することができる。
【符号の説明】
【００６４】
１：原稿
５０：フレーム
５１：前側板
５２：後側板
５４：開口
５５：ねじ穴
６０：調整機構（調整手段）
６１、６２：ガイドピン
６３：ホルダー部
６４：目盛り部
６５、６６：長穴
７１、７２：ピン挿入穴
７３：配置板部
７４：引張スプリング
７５：調整ねじ
７６：取付ねじ
７７：段付ねじ
７８：突起部
７９：目印
【先行技術文献】
【特許文献】
【００６５】
【特許文献１】特開２００２−２４７２９５公報
【図１】
2014123799.tif 000003
【図２】
2014123799.tif 000004
【図３】
2014123799.tif 000005
【図４】
2014123799.tif 000006
【図５】
2014123799.tif 000007
【図６】
2014123799.tif 000008
【図７】
2014123799.tif 000009
【図８】
2014123799.tif 000010
【図９】
2014123799.tif 000011